(57)【要約】      （修正有）【課題】係止片取付装置２０を使用しラベル類５を商品に係止させる操作が容易な装置２０を提供する。【解決手段】挿通部２と保持部３若しくはソケット部１５とがフィラメント部４の両端部に設けられている係止片１が複数個相互に並列的に配列され少なくとも挿通部２と保持部３若しくはソケット部１５の一方若しくはその近傍部が接続バー部２４によって並列状態が維持された状態で固定されている係止片シート６００を使用する係止片取付装置２０に使用するアタッチメント７００。取付装置２０の側面部５０１から係止片取付装置２０の上部表面５０４より上方に延展する係止片制御板部７１０とが設けられ且つ係止片制御板部７１０の一部に係止片シート６００の当該接続バー部２４の配置軌道５０６を制御する接続バー部制御手段５０７が設けられているアタッチメント７００。【選択図】図１
2006160367.tif 000002
【特許請求の範囲】
【請求項１】
挿通部と、保持部若しくはソケット部とが、フィラメント部の両端部に設けられている係止片の、当該挿通部を中空針に挿入して、所定の押し出し手段を介して当該挿通部を当該中空針から押し出すことによって当該挿通部を所定の商品に係止せしめラベル類を当該保持部により当該所定の商品に貼着させるか、当該所定の商品を介して当該ソケット部内に係止せしめる事によって当該フィラメント部に適宜のラベル類を保持させる様に構成されている係止片が複数個相互に並列的に配列され、少なくとも当該挿通部と、保持部若しくはソケット部の一方、若しくはその近傍部が、接続バー部によって固定されて、当該並列状態が維持されている係止片シートを使用するための係止片取付装置に使用されるアタッチメントであって、当該アタッチメントは、当該係止片取付装置の側部壁面に設けられた係合部と着脱自在に係合する取り付け部と、当該係止片取付装置の側面部から当該係止片取付装置の上部表面より上方に延展する係止片制御板部とが一体的に形成されており、且つ当該係止片制御板部の一部に、当該係止片シートの当該接続バー部の配置軌道を制御する接続バー部制御手段が設けられている事を特徴とするアタッチメント。
【請求項２】
当該取り付け部の少なくとも一部には、当該係止片取付装置の少なくとも一方の側部壁面部の一部に設けられている係合部と着脱自在に嵌合する係合部受け座が設けられている事を特徴とする請求項１に記載のアタッチメント。
【請求項３】
当該係合部受け座は、当該係合部の平面形状と実質的に同一の平面形状を有する事を特徴とする請求項２に記載のアタッチメント。
【請求項４】
当該係合部受け座は、当該係合部の外周縁部の一部とそれぞれ個別に接続する複数個の内縁部が組み合わされて構成された平面形状を持つ開口部を有する事を特徴とする請求項１又は２に記載のアタッチメント。
【請求項５】
当該少なくとも一部の内縁部は、他の内縁部とは独立して変位可能に構成されている事を特徴とする請求項４に記載のアタッチメント。
【請求項６】
当該取り付け部は、第１のスリット部を介して相互に分割された第１の取り付け部と第２の取り付け部とから構成されており、且つ当該係合部受け座は、当該第１のスリット部の一部に設けられている事を特徴とする請求項３乃至５の何れかに記載のアタッチメント。
【請求項７】
当該第１と第２の取り付け部の一方の取り付け部は、他方の取り付け部に対して変位可能に構成されている事を特徴とする請求項６に記載のアタッチメント。
【請求項８】
当該変位可能に形成された当該第１の取り付け部には、第２のスリット部が設けられている事を特徴とする請求項６又は７に記載のアタッチメント。
【請求項９】
当該第２のスリット部が設けられている当該第１の取り付け部の外周縁部の一部と、当該係止片取付装置の当該側部壁面部との間に、隙間部が設けられている事を特徴とする請求項８に記載のアタッチメント。
【請求項１０】
当該取り付け部の当該係止片取付装置先端部に近接する部分に、当該係止片取付装置の上面部と当該側部壁面部とに係合する第１の支持部と、当該係止片取付装置の当該上面部と当該側部壁面部とは反対側の側部壁面部若しくは当該側部壁面部の内側側部壁面部とに係合する第２の支持部とが設けられている事を特徴とする請求項１乃至９の何れかに記載のアタッチメント。
【請求項１１】
当該第１の支持部の当該係止片取付装置の側部壁面部に対向する側には、当該係止片取付装置の側部壁面部に設けられた突起部又は凹陥部と嵌合する凹陥部又は突起部が設けられている事を特徴とする請求項１乃至１０の何れかに記載のアタッチメント。
【請求項１２】
当該取り付け部の当該係止片取付装置先端部に近接する部分に、当該係止片取付装置の上面部と当該側部壁面部（第１の側部壁面部）とに係合する第１の支持部と、当該係止片取付装置の当該上面部と当該第１の側部壁面部とは反対側の第２の側部壁面部若しくは当該第２の側部壁面部の内側側部壁面部とに係合する第２の支持部とが設けられており、当該取り付け部に於ける当該係止片取付装置の第１の側部壁面部と接触する面の一部には、当該係止片取付装置の第１の側部壁面部に設けられた第１の係合部と係合する第１の嵌合手段が設けられていると共に、当該第１の支持部の当該係止片取付装置の当該第１の側部壁面部と接触する面の一部には、当該係止片取付装置の先端部近傍に設けられた第２の係合部と係合する第２の嵌合部が設けられている事を特徴とする請求項１に記載のアタッチメント。
【請求項１３】
当該第２の支持部の当該第２の側部壁面部と接触する面の一部には、当該係止片取付装置の当該第２の側部壁面部に設けられた第３の係合部と係合する第３の嵌合手段が設けられている事を特徴とする請求項１２に記載のアタッチメント。
【請求項１４】
当該第２の支持部は、当該第２の側部壁面部を押圧しうるバイアス力を有する様に構成されている事を特徴とする請求項１２に記載のアタッチメント。
【請求項１５】
当該第１乃至第３の係合部の少なくとも一つは、当該係止片取付装置の当該側部壁面部に設けられた突起状物或は孔部若しくは凹陥状部である事を特徴とする請求項１２乃至１４の何れかに記載のアタッチメント。
【請求項１６】
当該第１乃至第３の嵌合手段の少なくとも一つは、当該第１乃至第３の係合部を構成する突起状物或は孔部若しくは凹陥状部と嵌合し得る孔部若しくは凹陥状部或は突起状部である事を特徴とする請求項１５に記載のアタッチメント。
【請求項１７】
当該取り付け部に於ける外周縁部であって、当該第１の嵌合手段の近傍の外周縁部と当該係止片取付装置の当該第１の側部壁面部との間に、隙間部が設けられている事を特徴とする請求項１２乃至１６の何れかに記載のアタッチメント。
【請求項１８】
当該取り付け部と当該係止片制御板部とが一体的に成型されている当該アタッチメントに於いて、当該取り付け部と当該係止片制御板部との境界部若しくはその近傍に沿って、所定の幅を有する補助支持板が設けられている事を特徴とする請求項１乃至１７の何れかに記載のアタッチメント。
【請求項１９】
当該補助支持板は、当該係止片取付装置の上面部と着脱自在に密着接合しうる様に構成されている事を特徴とする請求項１８に記載のアタッチメント。
【請求項２０】
当該第２の支持部は、当該補助支持板の自由端の一部に接合されている事を特徴とする請求項１０乃至１９の何れかに記載のアタッチメント。
【請求項２１】
当該補助支持板の一部に、当該係止片取付装置の上面部に予め設けられている突起部又は凹部と嵌合する凹部又は突起部が設けられている事を特徴とする請求項１０乃至２０の何れかに記載アタッチメント。
【請求項２２】
当該補助支持板の一部に、当該係止片取付装置の一部に設けられている板状突起部と嵌合する第３のスリット部が設けられている事を特徴とする請求項１乃至２１の何れかに記載のアタッチメント。
【請求項２３】
当該係止片制御板部に於ける当該接続バー部制御手段は、当該係止片制御板部の当該係止片取付装置の先端部方向側の外周縁部の少なくとも一部に設けられている事を特徴とする請求項１乃至２２の何れかに記載のアタッチメント。
【請求項２４】
当該接続バー部制御手段は、当該外周縁部に沿って設けられている、第１の案内壁部と接続バー部軌道保持板とから構成されている事を特徴とする請求項２３に記載のアタッチメント。
【請求項２５】
当該係止片制御板部に於ける当該接続バー部制御手段が設けられている面と同一面に、当該第１の案内壁部が接続する接続バー部の面とは、反対側の面と接触する第２の案内壁部とが設けられている事を特徴とする請求項１乃至２４の何れかに記載のアタッチメント。
【請求項２６】
当該係止片制御板部の当該係止片取付装置の先端方向の外周縁部の一部で、当該係止片取付装置の上面部に近接する部分に凹み部が設けられている事を特徴とする請求項１乃至２５の何れかに記載のアタッチメント。
【請求項２７】
当該係止片制御板部の一部に、孔部が設けられている事を特徴とする請求項１乃至２６の何れかに記載のアタッチメント。
【請求項２８】
当該アタッチメントによって形成される当該係止片シートを構成する当該接続バー部が形成する配置軌道は、当該係止片取付装置の上部表面に対する法線Ｐとのなす角度αが、５度乃至４５度の範囲となる様に設定されている事を特徴とする請求項１乃至２７の何れかに記載のアタッチメント。
【請求項２９】
挿通部と、保持部とが、フィラメント部の両端部に設けられている係止片の、当該挿通部を中空針に挿入して、所定の押し出し手段を介して当該挿通部を当該中空針から押し出すことによって当該挿通部を所定の商品に係止せしめラベル類を当該保持部により当該所定の商品に貼着保持させる様に構成されている係止片が複数個相互に並列的に配列され、少なくとも当該挿通部若しくはその近傍部が、接続バー部によって固定されて、当該並列状態が維持されている係止片シートを使用するための係止片取付装置に使用されるアタッチメントであって、当該アタッチメントは、当該係止片取付装置の上面上に当接して搭載される係止片制御板部と当該係止片制御板部と一体的に形成されており、当該係止片取付装置の一方の側部壁面に設けられた第１の係合部と着脱自在に係合する第１の嵌合部を有する第１の支持部と、当該係止片取付装置の他方の側部壁面に設けられた第２の係合部と着脱自在に係合する第２の嵌合部を有する第２の支持部とが一体的に形成されており、且つ当該係止片制御板部の一部に、当該係止片シートの当該接続バー部の配置軌道を制御する接続バー部制御手段が設けられている事を特徴とするアタッチメント。
【請求項３０】
当該第１の支持部の当該係止片取付装置の一方の側部壁面部側には、当該係止片取付装置の側部壁面部に設けられた第１の係合部を構成する突起部又は凹陥部と嵌合する凹陥部又は突起部からなる第１の嵌合部が設けられている事を特徴とする請求項２９に記載のアタッチメント。
【請求項３１】
当該第２の支持部の当該係止片取付装置の他方の側部壁面部側には、当該係止片取付装置の側部壁面部に設けられた第２の係合部を構成する突起部又は凹陥部と嵌合する凹陥部又は突起部からなる第２の嵌合部が設けられている事を特徴とする請求項２９に記載のアタッチメント。
【請求項３２】
当該第１及び第２の支持部と当該係止片制御板部とが一体的に成型されている当該アタッチメントに於いて、当該各支持部と当該係止片制御板部との境界部若しくはその近傍に沿って、所定の幅を有する補助支持板が設けられている事を特徴とする請求項２９乃至３１の何れかに記載のアタッチメント。
【請求項３３】
当該補助支持板は、当該係止片取付装置の上面部と着脱自在に密着接合しうる様に構成されている事を特徴とする請求項３２に記載のアタッチメント。
【請求項３４】
当該第２の支持部は、当該補助支持板の自由端の一部に接合されている事を特徴とする請求項２９乃至３３の何れかに記載のアタッチメント。
【請求項３５】
当該係止片制御板部に於ける当該接続バー部制御手段は、当該係止片制御板部の当該係止片取付装置の先端部方向側の外周縁部の少なくとも一部に設けられている事を特徴とする請求項２９乃至３４の何れかに記載のアタッチメント。
【請求項３６】
当該接続バー部制御手段は、当該外周縁部に沿って設けられている、第１の案内壁部と接続バー部軌道保持板とから構成されている事を特徴とする請求項３５に記載のアタッチメント。
【請求項３７】
当該係止片制御板部に於ける当該接続バー部制御手段が設けられている面と同一面に、当該第１の案内壁部が接続する接続バー部の面とは、反対側の面と接触する第２の案内壁部とが設けられている事を特徴とする請求項２９乃至３６の何れかに記載のアタッチメント。
【請求項３８】
当該係止片制御板部の後端部には、当該係止片制御板部の当該係止片取付装置への着脱を補助する着脱補助部が設けられている事を特徴とする請求項２９乃至３７の何れかに記載のアタッチメント。
【請求項３９】
当該着脱補助部は、その一部にバネ効果を発揮する可動部とその自由端部に設けられ、当該係止片取付装置の上面部に設けられている適宜の凹嵌部に嵌合する第３の係合部を有している事を特徴とする請求項３８に記載のアタッチメント。
【請求項４０】
請求項１乃至３９に記載のアタッチメントが着脱自在に取り付けられている係止片取付装置。
【発明の詳細な説明】
【技術分野】
【０００１】
本発明は衣類品、靴下等を一つに束ねたり、商品にその一端部を挿入してブランドラベル、値札、素材説明書、使用説明書等のラベル類を取付ける事ができる係止片を打ち出すことが出来る係止片取付装置に取り付けるアタッチメントに関するものである。
【背景技術】
【０００２】
一般に、衣類品、日常小物、サンダル、靴等を結束したり、当該商品にブランドラベル、値札等を効率的に取り付けるために、従来より、種々の係止片が使用されてきている。
【０００３】
かかる従来に於ける当該係止片１の一具体例の構成を図７に示すが、その構成は、図７に示す様に、挿通部２と、当該ラベル類等を保持し得る保持部３とが、適宜のフィラメント部４の両端部に設けられているものであって、当該係止片１は、適宜の合成樹脂材料を使用して、上記した各構成部分が一体的に成形加工されているものである。
【０００４】
かかる係止片１は、図８に例示する様に、適宜の商品１００の適宜の部位に、当該フィラメント部４をラベル類５に予め設けられた孔部６に通した後、当該ラベル類５を当該保持部３で保持したまま、当該挿通部２を貫通させる事によって、所定のラベル類５を、当該商品１００に係止させる様にしたものである。
又、別の構成を有する当該係止片１０の構成の具体例を図９と参照しながら説明する。
【０００５】
つまり、図９にかかる係止片１０は、可撓性を有するフィラメント部１２と、当該フィラメント部１２の一方の端部に設けられた適宜の係合部１６を有する挿通頭部１３と、前記フィラメント部１２の他方の端部に設けられている前記挿通頭部１３を不可逆的に通す為の挿通穴１４を有すると共に、当該挿通穴１４内に当該挿通部１３の当該係合部１６、１６と係合しあう一対のブレード部１７、１７’とが設けられているものである。
【０００６】
そして、上記した従来の係止片１及び１０は、例えば、当該挿通部１３、当該保持部又はソケット部１５及び当該フィラメント部１２とが、通常ナイロン、ポリプロピレン、ポリエステル等の合成樹脂で一体成形されているのである。
【０００７】
そして、上記した具体例に於いては、図１０に示す様に、任意の商品例えば鞄２００に於いて、当該フィラメント部１２を当該ラベル類４００に予め設けられた孔部４１０に通した後、例えば、把手３００と鞄本体２００との間に当該ソケット部１５にフィラメント部１２を挿通し当該ラベル類４００を保持する機能を有する当該ソケット部１５の孔部１４に当該挿通部１３を貫通させる事によって、所定のラベル類４００を、当該商品２００に係止させる様にしたものである。
【０００８】
処で、上記した係止片１或いは１０は、例えば、図１１に示す様な、所定の商品に刺し通して当該係止片１の挿通部２を当該商品の裏側に係止させる中空針２１を有し、レバー２２を操作する事によって、当該中空針２１の中に当該係止片１の挿通部２を挿入し、適宜の押し出し手段を使用して当該係止片の当該挿通部２を当該商品１００に係止させる様に構成されたガンと称される係止片取付装置２０が知られている。
【０００９】
そして、当該係止片１は、一本ずつ当該係止片取付装置２０から打ち出される様に構成されていても良く、或いは図１２に示される様に、個々の当該係止片１が複数個平行に配列された状態で適宜の接続部１１を介して適宜の接続具である接続バー部２４に接合固定された形態に構成し、図１２に例示されている様に、当該係止片取付装置２０の上面に形成されているそれぞれの接続バー部２４の挿入部４０又は４１の何れかに挿入する事により、図１１に示す様に、それぞれの係止片１を個別に且つ連続的に所定の商品に打ち込み、所定のラベル類５を当該商品に係止させる事が出来る。
【００１０】
又、上記した係止片取付装置に関する別の従来例としては、図９に示された様な係止片を図１３に示す様に、複数本の当該係止片群を２本の接続バー部によって相互に並行状態に維持固定した係止片シート１２を使用する係止片取付装置も知られている。
【００１１】
即ち、かかる構成を有する係止片１０に於いても、当該係止片１０単独で使用する場合もあるが、多くの場合は、作業効率を向上する為に、図１３に示す様な係止片１０を複数個並列状に配置した係止片シート６００を使用する。
【００１２】
即ち、図９に示す個々の係止片１０が複数個、当該フィラメント部１２が互いに平行に隣接して配列されると共に、互いに近接して配置される当該複数個の挿通頭部１３若しくはその近傍部と当該複数個のソケット部１５若しくはその近傍部とは、それぞれ個別に設けられた接続バー部２４、２４’にそれぞれ接続せしめられている構造を有するものであって、当該挿通頭部近傍及びソケット部近傍部は、更に接続部１１、１１’によって相互に連結されている。
【００１３】
本発明の係止片シート６００は、従来の係止片と同様に通常ナイロン、ポリプロピレン、ポリエステル等の合成樹脂で一体成形されている。
そして、当該係止片シート６００は、図１４に示す様な係止片取付装置２０に搭載されて、操作レバー２２を操作する毎に当該係止片１０が一本ずつ打ち出されて商品にラベル類を取り付ける事が出来る。
【００１４】
図１４は、本従来例に於いて当該係止片シート６００をＵ字状に湾曲させて、当該係止片取付装置２０に搭載した状態を示したものである。
図１５は、本従来例に使用される係止片取付装置２０の上部平面図であって、当該係止片取付装置２０には左右に当該係止片シート６００の接続バー２４、２４’が挿入される縦溝４０、４１が形成されている。
【００１５】
又当該縦溝４０には、例えば、係止片シート６００のソケット部１５を連結する接続バー２４’が挿入され、縦溝４１には、挿通頭部１３を連結する接続バー２４が挿入される。
【００１６】
また、打ち出し装置２０には、図示するレバー２２を操作する事によって駆動される打ち出しピン４２が縦溝４１の側方に配設されており、挿通頭部１３を接続バー２４の連結部１１’から切り離して、筒状の中空針２１に沿って前方へ一個ずつ押し出す。
【００１７】
一方、当該ソケット部１５は、湾曲状の案内管４３に沿って適宜の押し出し手段、例えばギヤ・ラック方式による押し出し手段２５等を利用して押し出され、その先端部４４に於いて上記した挿通部１３と嵌合する様に構成されている。
又、本願発明者は、図１４に示される様な従来の係止片取付装置を更に改良する目的で、図１６に示す様な構成を有する係止片取付装置２０を提案している。
【００１８】
即ち、図１６の係止片取付装置２０では即ち、上記した第２の従来例とほぼ同一の構成を有する係止片取付装置２０と係止片１０からなる係止片シート６００を使用するものであるが、特には、当該係止片取付装置２０のサイズを小型化する目的、及び当該係止片シート６００を当該係止片取付装置２０に搭載して、各係止片１０の打ち出し操作を実行中に当該フィラメント部１２同志が絡まって操作不能に陥る自体の発生を有効に防止する為に、図１６に示す当該係止片取付装置２０の上部平面図に於いて、当該挿通部１３を固定する接続バー部２４の挿入スリット４１が形成されている面を当該ソケット部１５を固定している接続バー部２４’の挿入スリット４０が形成されている面よりも低くなるように形成したものであり、従って当該係止片取付装置２０の幅がかなり狭くなり小型化が実現出来る。
【００１９】
【特許文献１】特開昭５７−４６７２８号公報
【特許文献２】特開２０００−８５７３３号公報
【発明の開示】
【発明が解決しようとする課題】
【００２０】
然しながら、上記した従来の係止片取付装置に於いて、複数本の係止片を相互に並行的に配列して形成された係止片シートを当該係止片取付装置に搭載して、当該係止片を１本ずつ打ち出して所望の商品に係止させる場合、当該係止片シートに含まれる当該係止片の数が多いほど、その長さは長くなり、その結果、当該係止片取付装置を操作中に、当該係止片シートが揺動してしまい、オペレータが操作中にそれに気を取られて作業効率が低下すると言う問題があり、更には、かかる揺動の結果、隣接する各係止片同士のフィラメント部が相互に絡まり合ってしまい、個々の当該係止片の打ち出しに際して、当該フィラメントが送り出されずに、当該係止片取付装置内に止まってしまい、所謂ジャムリが発生するという問題もあった。
係る問題は、当該係止片シートの長さが長くなるほど大きくなって来る。
【００２１】
更に、長い係止片シートを当該係止片取付装置に搭載して、例えば、衣類や袋物等が多数近接密集して適宜のハンガー等に吊り下げされて配置されている状態の当該衣類や袋物等に、所定のラベル等を取り付けるために当該係止片取付装置を使用して当該係止片を当該衣類や袋物のボタン孔や、ファスナー金具の開口部に挿通させる必要が有る場合には、当然、当該係止片取付装置を当該近接密集している衣類や袋物等の間に入り込ませて当該係止片を１本１本打ち出す操作が行なわれるが、当該近接密集している衣類や袋物等が当該係止片シートに当接したり、押圧力を印加することになるので、当該係止片シートは大きく変形せしめられたり、場合によっては、当該係止片取付装置から当該係止片シートが脱落してしまうと言う問題も発生している。
【００２２】
又一方では、短い係止片シートを使用して、個別に配置されている適宜の商品に対して当該係止片を取り付ける場合には、上記した様な問題は発生しないので、適宜の係止片保持手段を常時設けておくことがかえって操作の邪魔となる場合もあった。
【００２３】
係る問題を解決する為に、従来では、例えば、特開昭５７−４６７２８号公報（〔特許文献１〕）に示す様に、上記した長い係止片シートを安定して係止片取付装置に供給する為に当該係止片取付装置の上面全体に沿ってカバーを設け、当該係止片シートを強制的に当該カバー内に挿入するように構成された技術が提案されているが、係る装置では、当該カバー内に当該係止片シートを挿入する操作が煩雑且つ複雑であり、現場での作業効率は著しく低減する他、長い係止片シートを使用する場合には、当該係止片取付装置の後端部から当該係止片シートの後端が長く突出するので、オペレータの操作の邪魔になるという問題がある。
【００２４】
又、特開２０００−８５７３３号公報（〔特許文献２〕）には、同様に当該係止片取付装置の上部表面に当該係止片シートの配置軌道を制限する為のガイド部材が旋回自在に設けられている技術が示されているが、係る技術に於いては、当該係止片シートの挿入部と接続バー部の双方が当該ガイド部材により部分的に被覆されそれによって当該係止片シートの配置軌道が制限されるものではあるが、当該技術に於いては、挿入部も当該ガイド部材と摺動作動を行なうので、当該挿入部の配置形態が異なって来て、当該一つの係止片を打ち出す際に、打ち出せない状態になるという問題があり、又、当該ガイド部材は、当該係止片取付装置に恒常的に取り付けられているものであるので、当該係止片取付装置の使用用途が極めて制約されると言う問題がある。
【００２５】
従って、本発明の目的は、上記した従来技術に於ける問題を解決し、特に密集している商品群の中に当該係止片取付装置を挿入して、当該商品の所定の部位に当該係止片を使用して所定のタグ等を取り付ける際に、当該係止片取り付け操作を容易にすると共に、当該係止片或いは係止片シートが相互に絡み合って当該係止片取付装置内でジャムリが発生しないようなアタッチメントを提供するものであり、更には、当該アタッチメントを装着した係止片取付装置を提供する事を目的とするものである。
【課題を解決するための手段】
【００２６】
本発明に係る当該係止片取付装置に取り付けられる当該アタッチメントは、上記目的を達成するために、以下に示す様な基本的技術構成を採用するものである。
【００２７】
即ち、本発明に係る当該係止片取付装置のアタッチメントは、挿通部と、保持部若しくはソケット部とが、フィラメント部の両端部に設けられている係止片の、当該挿通部を中空針に挿入して、所定の押し出し手段を介して当該挿通部を当該中空針から押し出すことによって当該挿通部を所定の商品に係止せしめラベル類を当該保持部により当該所定の商品に貼着させるか、当該所定の商品を介して当該ソケット部内に係止せしめる事によって当該フィラメント部に適宜のラベル類を保持させる様に構成されている係止片が複数個相互に並列的に配列され、少なくとも当該挿通部と、保持部若しくはソケット部の一方、若しくはその近傍部が、接続バー部によって固定されて、当該並列状態が維持されている係止片シートを使用するための係止片取付装置に使用されるアタッチメントであって、当該アタッチメントは、当該係止片取付装置の側部壁面に設けられた係合部と着脱自在に係合する取り付け部と、当該係止片取付装置の側面部から当該係止片取付装置の上部表面より上方に延展する係止片制御板部とが一体的に形成されており、且つ当該係止片制御板部の一部に、当該係止片シートの当該接続バー部の配置軌道を制御する接続バー部制御手段が設けられている様に構成されているものである。
【発明の効果】
【００２８】
本発明に於ける当該アタッチメントは、上記した様な技術構成を採用しているので、特に密集している商品群の中に当該係止片取付装置を挿入して、当該商品の所定の部位に当該係止片を使用して所定のタグ等を取り付ける際に、当該アタッチメントが当該係止片シートを固定して保護するため、当該係止片取付装置を所定の商品群間に挿入して当該係止片を当該書品に取り付ける際に、当該係止片シートが当該商品に引っ掛かり、当該タグ等の取り付け操作が中断されたり、当該係止片取付装置を当該商品群間に挿入する時或いは、当該商品群から当該係止片取付装置を引き出す際にそれらの操作が妨げられたり、また、その際に当該係止片シートが当該係止片取付装置から脱落し或いは、当該係止片シートの相互に隣接する係止片同士のフィラメント部同士が絡み合ってジャムリが発生する事が効果的に防止できるので、当該係止片取付装置を使用した係止片の取り付け操作を容易にすると共に、その作業効率を大幅に向上させる事が可能となる。
【００２９】
更に、本発明に於いては、当該アタッチメントは、当該係止片取付装置に対して取り付け自在に構成されているので、当該係止片を取り付ける対象となる商品の形状或いは、配列形態によっては、当該アタッチメントを取り外して当該係止片取付装置を使用出来るので、その適用範囲が著しく拡大すると言う効果もある。
【発明を実施するための最良の形態】
【００３０】
以下に、本発明にかかる係止片取付装置のアタッチメントの具体例の構成を図面を参照しながら詳細に説明する。
【００３１】
即ち、図１は、本発明に係る係止片取付装置に着脱自在に取り付けられるアタッチメントの一具体例の構成を示す図であって、図中、図７及び図９を参照するならば、挿通部２又は１３と、保持部３若しくはソケット部１５とが、フィラメント部４又は１０の両端部に設けられている係止片１又は１０の、当該挿通部２又は１３を中空針２１に挿入して、所定の押し出し手段（図示せず）を介して当該挿通部２又は１３を当該中空針２１から押し出すことによって当該挿通部２又は１３をラベル類５又は４００と共に所定の商品１００に係止せしめるか、当該所定の商品２００を介して当該ソケット部１５内に係止せしめる事によって当該フィラメント部４又は１０に適宜のラベル類５又は４００を保持させる様に構成されている係止片１又は１０が複数個相互に並列的に配列され、少なくとも当該挿通部２又は１３と、少なくとも当該保持部３若しくはソケット部１５の一方、若しくはその近傍部が、接続バー部２４によって当該並列状態が維持された状態で固定されている係止片シート６００を使用するための係止片取付装置２０に使用されるアタッチメント５００であって、当該係止片取付装置２０の側部壁面５０１に設けられた係合部５０２と係合する取り付け部５０３と、当該係止片取付装置２０の側面部５０１から当該係止片取付装置２０の上部表面５０４より上方に延展する係止片制御板部５０５とが設けられており、且つ当該係止片制御板部５０５の一部に、当該係止片シート６００の当該接続バー部２４の配置軌道５０６を制御する接続バー部制御手段５０７が設けられているアタッチメント５００が示されている。
【００３２】
即ち、本発明に係る当該アタッチメント５００は、当該係止片取付装置２０の側壁面部５０１の表面に設けた適宜の係合部５０２を介して、当該係止片取付装置２０に着脱自在に取り付けられる取り付け部を有するものであり、且つ、当該係止片取付装置２０の側面５０１から当該係止片取付装置２０の上部表面５０４を超えて上方に突き出して延展され壁状に形成されている当該取り付け部と一体的に形成された係止片制御板部５０５を有しているものである。
【００３３】
当該アタッチメントを構成している当該係止片制御板部５０５は、当該係止片シート６００の一部である当該接続バー部２４と係合して当該接続バー部２４の配置軌道５０６を一定の形状に固定する機能を有する接続バー部制御手段５０７を有しているものである。
【００３４】
当該接続バー部制御手段５０７は、例えば、当該係止片制御板部５０５の比較的上部に設けられていることが望ましく、例えば，図２に示す様に、当該係止片制御板部５０５の基板５１１の端縁部５１２の当該端縁部５１２に添って設けられた所定の高さを有する接続バー部の配置軌道形成用案内壁部５０８（第１の案内壁部）と当該案内壁部５０８の自由端部５１３の一部に設けられた、当該基板５１１の面に対して略並行状に設けられている接続バー部軌道保持板５０９とで構成されていることが望ましい。
【００３５】
当該案内壁部５０８の高さは、特に限定されないが、例えば、当該係止片シート６００に於ける当該接続バー部２４と当該挿通部２又は１３とを接続している接続部１１の長さ或いは当該保持部３若しくはソケット部１５と当該接続バー部２４とを接続している接続部１１の長さを考慮して設計する事が可能である。
【００３６】
更に、当該案内壁部５０８の内側には、当該接続バー部２４の軌道を所定の形状に保持するための補助案内壁部（第２の案内壁部）５１０が設けられている。
つまり、本発明に係る当該係止片制御板部５０５の具体的な構成を示すならば、当該係止片制御板部５０５に於ける当該接続バー部制御手段５０７は、当該係止片制御板部５０５の先端部方向側の外周縁部５１２の少なくとも一部に設けられているものであって、より詳細には、当該接続バー部制御手段５０７は、当該基板５１１の外周縁部５１２に沿って設けられている、当該接続バー部２４を所定の軌道形状に案内する第１の案内壁部５０８と接続バー部軌道保持板５０９とから構成されているものである。
【００３７】
更に、本発明に於ける当該係止片制御板部５０５に有っては、図２に示す様に、当該第１の案内壁部５０８の内側であって、且つ当該係止片制御板部５０５に於ける当該接続バー部制御手段５０７が設けられている面と同一面に、当該第１の案内壁部５０８が接続する接続バー部の面とは反対側の面が接触する第２の案内壁部５１０が設けられている事も望ましい具体例である。
【００３８】
本発明に於ける当該アタッチメント５００に於いては、上記構成を採用しているので、当該係止片シート６００を当該係止片取付装置２０に搭載する際に、当該係止片シート６００を構成する当該接続バー部２４の一部を当該第１と第２の案内壁部５０８，５１０との間に形成された案内溝部５４０に沿って配置される事になり、その配置形態はその状態で固定されるので、操作中に当該係止片シート６００が揺動したり、抜け落ちる心配はなくなる。
【００３９】
本発明に於ける当該アタッチメント５００によって形成される当該係止片シート６００を構成する当該接続バー部２４が形成する配置軌道Ｏは、当該係止片取付装置２０の上部表面５０４に対する法線Ｐとのなす角度αが、５度乃至４５度の範囲となる様に設定される事が望ましい。その為に、一例として、当該係止片制御板部５００に於ける当該係止片取付装置２０の先端部に近い端縁部の形状を当該所定の角度αが得られる様に後方に向けて湾曲状に形成することが可能である。
【００４０】
当該角度αを上記上限角度よりも大きくすると、例えば、図１２で示す様な係止片シート６００に於いては、互いに隣接して配置されているそれぞれの係止片１に設けられている当該保持部３同士が相互に強く接触し合うので、当該それぞれの係止片１を打ち出す際に絡みが発生して当該係止片１の打ち出しが失敗する原因となる。
【００４１】
一方、図１３に示す係止片シート６００を使用する場合には、図１４に示す様に、当該係止片シート６００を当該係止片取付装置２０に搭載する際には、当該係止片１０を構成するフィラメント１２をＵ字型に湾曲させて、搭載するものであるので、当該角度αを上記上限角度よりも大きくすると、隣接して配列されている夫々の係止片における、湾曲状部を構成する当該フィラメント１２同士が相互に強く接触する為、当該フィラメント同士が絡み合い、ジャムリが発生して同様に当該係止片１０の打ち出しが失敗する原因となる。
【００４２】
本発明に係る当該アタッチメント５００は、上記した様に係止片制御板部５０５と取り付け部５０３とが一体的に形成されており、プラスチック、金属或いはその複合材料等から構成されるものである。
【００４３】
当該アタッチメント５００に於ける当該取り付け部５０３の少なくとも一部には、当該係止片取付装置２０の少なくとも一方の側部壁面部５０１の一部に設けられている係合部（第１の係合部）５０２と固定的に嵌合し、且つ容易に当該嵌合状態を解消しえるような構造を有する係合部受け座５１４が設けられている。
【００４４】
本発明に於ける当該第１の係合部５０２は、当該係止片取付装置２０の一方の側面の壁部（第１の側部壁面部）５０１の適宜の部位に当該第１の側壁面５０１の表面に一体的に設けられた適宜の高さ或いは深さを有する突起状部或いは凹陥状部で構成されるものであることが望ましく、その平面形状は、矩形、多角形、円形、楕円形等如何なる形状であっても良い。
【００４５】
一方、当該第１の係合部５０２と着脱自在に嵌合し得る当該係合部受け座５１４は、当該第１の係合部５０２の平面形状と実質的に同一の平面形状を有する事が望ましい。
【００４６】
当該係合部受け座５１４は、当該係合部５０２の外周縁部５１５、５１６の少なくとも一部とそれぞれ個別に接続する複数個の内縁部５１７、５１８が組み合わされて構成された平面形状を持つ開口部を有する事が望ましい。
【００４７】
更に、当該第１の係合部５０２と嵌合する当該係合部受け座５１４は、当該第１の係合部５０２と着脱自在に取り付け或いは取り外しできる様に、当該少なくとも一部の内縁部は、他の内縁部とは独立して変位可能に構成されている事が好ましい。
【００４８】
即ち、図３に示す当該係合部受け座５１４に於いて、例えば、当該第２の内縁部５１８は、当該第１の内縁部５１７に対して容易に変位可能である様に構成されていることが望ましい。
【００４９】
具体的には、当該第２の内縁部５１８は、容易に当該第１の内縁部５１７に対して、上方に向けて、つまり紙面の上方に向けて変位できる様に構成されているものである。
【００５０】
その為の１具体例としては、当該取り付け部５０３は、第１のスリット部５２０を介して相互に分割された第１の取り付け部５２３と第２の取り付け部５２４とから構成されており、且つ当該係合部受け座５１４は、当該第１のスリット部５２０の一部に設けられている事が好ましい。
【００５１】
更に、上記した様に、本発明に於いては、当該第１と第２の取り付け部の一方の取り付け部は、他方の取り付け部に対して変位可能に構成されている事が望ましいので、係る構成を実現する為に、本発明では、当該第１の取り付け部５２３を変位可能に形成するものであり、より具体的には、図１又は図２に示す様に、当該第１の取り付け部５２３には、例えばＵ字型或いはＶ字型をした第２のスリット部５２１が設けられており、係る構成によって当該第１の取り付け部５２３が当該第２の取り付け部５２４に対して容易に上方に持ち上げられ、変位できる様に構成されている。
【００５２】
更に本発明に於いては、当該第２のスリット部５２１が設けられている当該第１の取り付け部５２３の外周縁部の一部と、当該係止片取付装置２０の当該側部壁面部との間に、当該第１の取り付け部５２３の外周縁部の一部を上方に盛り上げて形成された隙間部５２２が設けられている事が望ましく、係る構成によって、当該隙間部５２２にドライバー或いはコイン等を挿入することによって、当該第１の取り付け部５２３を容易に持ち上げられ、当該係止片取付装置２０と当該アタッチメント５００との係合を容易に解消する事が可能である。
【００５３】
勿論、本発明に於いては、上記した係合部受け座５１４の構成は、当該係止片取付装置２０と当該アタッチメント５００とを容易に係合させることが可能であることは言うまでもない。
【００５４】
一方、本発明に於ける当該アタッチメントに於いては、上記した取り付け部５０３の構成のみでは当該アタッチメントを当該係止片取付装置２０の側面部に十分に固定保持できないので、補助的な保持機構を更に設けることが望ましい。
【００５５】
即ち、その一例としては、図１或いは図２に示す様に、当該取り付け部５０３の当該係止片取付装置２０の先端部に近接する部分、より具体的には、当該第２の取り付け部５２４の当該先端部近傍に、当該係止片取付装置２０の上部表面部５０４と当該第１の側部壁面部５０１とに係合する第１の支持部５２５と、当該係止片取付装置２０の当該上部表面部５０４と当該第１の側部壁面部５０１とは反対側の第２の側部壁面部５２９若しくは当該側部壁面部５０１の内側側部壁面部５２６とに係合する第２の支持部５２８とが設けられている事が望ましい。
【００５６】
又、本発明に於いては、当該第１の支持部５２５の当該係止片取付装置２０の第１の側部壁面部側５０１には、当該係止片取付装置２０の第１の側部壁面部５０１に設けられた凹陥部（第２の係合部）５３０と嵌合する突起部（第２の嵌合部）５３１が設けられている事も望ましい具体例である。
【００５７】
更に、本発明に於ける当該取り付け部５０３と当該係止片制御板部５０５とが一体的に成型されているアタッチメント５００に於いては、当該取り付け部５０３と当該係止片制御板部５０５との境界部５３３に沿って、補助支持板５３２が設けられている事が望ましい。
【００５８】
つまり、本発明に於いて、図１２に示される様な係止片シートと係止片取付装置を使用する場合には、本発明に於ける当該アタッチメント５００の当該係止片取付装置への取り付け構成の一具体例が図５に示されている。
【００５９】
図５では、当該第２の支持部５２８は、当該係止片取付装置の反対側の側面（第２の側部壁面部）迄伸びているのでその長さは比較的長くなる。
一方、本発明に於いて、図１６に示される様な係止片シートと係止片取付装置を使用する場合には、本発明に於ける当該アタッチメント５００の当該係止片取付装置への取り付け構成の一具体例が図４に示されている。
【００６０】
図４では、当該第２の支持部５２８は、当該係止片取付装置の当該アタッチメント５００が取り付けられている当該係止片取付装置の１つの側壁面の反対側に形成された段部に設けられた内部側壁部５２６と係合する様に構成されている。
【００６１】
又、本発明に於いて、図１４に示される様な係止片シートと係止片取付装置を使用する場合には、本発明に於ける当該アタッチメント５００の当該係止片取付装置への取り付け構成の一具体例は特に示されていないが図４に示されている構成と略同じ様な取り付け構成が、当該接続バー部挿入スリット４０が設けられている当該係止片取付装置の表面部或いは、その反対側にある当該接続バー部挿入スリット４１が設けられている当該係止片取付装置の表面部に形成されるものであっても良い。
【００６２】
当該補助支持板５３２は、当該係止片取付装置２０の上面部５０４と着脱自在に密着接合しうる様に構成されているものである事も好ましい態様である。
本発明に於ける上記した当該第２の支持部５２８は、当該補助支持板５３２の自由端の一部に接合されている事が好ましい。
【００６３】
更に、本発明に於ける当該アタッチメント５００と当該係止片取付装置２０との接合状態をより強固にする為に、当該係止片取付装置２０の上面部５０４の一部に、予め所定の形状を持つ突起部若しくは凹陥部５３４を設けておき、当該補助支持板５３２に予め設けられている突起部或いは当該凹陥部５３４と嵌合する開口部或いは突起部５３５が設けられている事も好ましい。
【００６４】
更に、本発明に於いては，当該補助支持板５３２の一部に、当該係止片取付装置２０の一部に設けられている適宜の板状突起部５３７と嵌合する第３のスリット部５３６が設けられている事も望ましい。
【００６５】
一方、本発明に於ける当該係止片制御板部５０５の当該係止片取付装置２０の先端方向の外周縁部５１２の一部で、当該係止片取付装置２０の上面部５０４に近接する部分に凹み部５４１が設けられている事が望ましい。
【００６６】
この凹み部５４１は、当該係止片取付装置２０のオペレータが当該係止片シート６００を当該係止片取付装置２０に搭載する操作を行なう際に、当該係止片シート６００の当該接続バー部２４を手に持って当該係止片取付装置２０の接続バー部２４の挿入部４０或いは４１内に挿入する際の挿入操作を容易にするものである。
【００６７】
又、本発明に於ける当該係止片制御板部５０５の一部に、孔部５４２が設けられている事も望ましい。
係る孔部５４２は、当該係止片制御板部５０５の安定性と強度を増加する為にある程度の面積と厚みが必要となるが、当該係止片制御板部５０５の重量を軽量化するための手段である。
【００６８】
次に、本発明にかかる別の態様における具体例を図１７乃至図２７を参照しながら詳細に説明する。
即ち、本具体例は、図１乃至図５に示されている当該アタッチメント５００の構成とは異なる構成を有するアタッチメント５００であり、その特徴は、前記の具体例では、当該取り付け部５０３が第１と第２の取り付け部から構成されていて、両取り付け部が個別に変位可能に構成されているものであるが、本具体例では、当該取り付け部５０３は一体的に構成されており、且つ当該アタッチメント５００をより容易に当該係止片取付装置２０に着脱させる事が可能なアタッチメント５００が提供される。
【００６９】
即ち、本具体例の構成は、図１７に示されている様に、基本的には、図１乃至図５に示す前記具体例の構成を有しているが、当該アタッチメント５００の当該係止片取付装置２０への取り付け構造を変更したものである。
【００７０】
即ち、図１７に示す様に、本具体例に於いては、当該取り付け部５０３の当該係止片取付装置２０の先端部に近接する部分に、当該係止片取付装置２０の上面部５０４と当該側部壁面部（第１の側部壁面部）５０１とに係合する第１の支持部５２５と、当該係止片取付装置２０の当該上面部５０４と当該第１の側部壁面部５０１とは反対側の第２の側部壁面部５２９若しくは当該第２の側部壁面部の内側側部壁面部５２６とに係合する第２の支持部５２８とが設けられており、当該取り付け部５０３に於ける当該係止片取付装置２０の第１の側部壁面部５０１と接触する面の一部には、当該係止片取付装置２０の第１の側部壁面部５０１に設けられた第１の係合部５０２と係合する第１の嵌合手段６０１が設けられていると共に、当該第１の支持部５２５の当該係止片取付装置２０の当該第１の側部壁面部５０１と接触する面の一部には、当該係止片取付装置２０の先端部近傍に設けられた第２の係合部５３０と係合する第２の嵌合部５３１が設けられているアタッチメント５００である。
【００７１】
即ち、本具体例に於いては、当該取り付け部５０３を一つの部材として一体的に形成し、当該取り付け部５０３を当該係止片取付装置２０に取り付けるために、当該係止片取付装置２０の第１の側部壁面部５０１に設けられる第１の係合部５０２を、前記具体例に比べて、当該係止片取付装置２０の本体のやや下方部に配置すると同時に、当該取り付け部５０３に於ける当該第１の係合部５０２と嵌合する第１の嵌合部６０１の配置位置を当該取り付け部５０３の下方部近傍に配置したものである。
【００７２】
更に、本具体例に於いては、当該取り付け部５０３に於ける外周縁部６０９であって、当該第１の嵌合手段６０１の近傍の外周縁部６０９と当該係止片取付装置２０の当該第１の側部壁面部５０１との間に、隙間部が設けられる様に適度の持ち上げ部６０４が設けられている事が望ましい。
【００７３】
これによって、ユーザーは、当該持ち上げ部６０４に指をかけることによって、容易に当該取り付け部５０３を当該側部壁面部５０１から離反させる事が可能となる。
又、本具体例に於いては、当該持ち上げ部６０４の機能を容易に発揮させる為に、当該持ち上げ部６０４の近傍に適宜のスリット部６０３を設けておく事も望ましい。
【００７４】
一方、本具体例に於いては、更に、当該第２の支持部５２８の当該第２の側部壁面部５２６或は５２９と接触する面の一部には、当該係止片取付装置２０の当該第２の側部壁面部に設けられた第３の係合部６０５と係合する第３の嵌合手段６０６が設けられていても良い。
【００７５】
本発明に於ける当該第２の支持部５２８に設けられる当該第３の嵌合手段６０６は任意であり、場合によっては、当該第２の支持部５２８は、当該第２の側部壁面部５２６或は５２９を押圧しうるバイアス力を有する様に構成されているもので有っても良い。
【００７６】
つまり、当該第２の支持部５２８は、その成形時に、当該第２の支持部５２８の先端部が当該第２の側部壁面部５２６或は５２９の方向に少し傾斜しているように成形する等の方法で実現可能である。
【００７７】
本具体例に於いては、当該第１乃至第３の係合部５０２、５３０、６０５の少なくとも一つは、当該係止片取付装置２０の当該側部壁面部５０１若しくは５２６或は５２９に設けられた適宜の大きさと形状を有する突起状物或は孔部若しくは凹陥状部である事が望ましい。
【００７８】
一方、当該第１乃至第３の嵌合手段６０１、５３１、６０６の少なくとも一つは、当該第１乃至第３の係合部５０２、５３０、６０５を構成する突起状物或は孔部若しくは凹陥状部と嵌合し得る適宜の大きさと形状を有する孔部若しくは凹陥状部或は突起状部である事が望ましい。
【００７９】
本具体例に係る当該アタッチメント５００を当該係止片取付装置２０に取り付けるには、例えば、当該アタッチメントの第１の支持部５２５の内側に設けられている第２の嵌合部を形成する突起部５３１を先ず、当該係止片取付装置２０の先端部に設けられている第２の係合部を構成する孔部５３０に挿入して両者を嵌合せしめた後、当該アタッチメント５００の本体を図１に示す様に反時計方向に旋回させることによって、当該取り付け部５０３を当該係止片取付装置２０の第１の側部壁面部５０１に当接させて下方に擦動させると共に、当該第２の支持部５２８を当該係止片取付装置２０の第２の側部壁面部５２９若しくは５２６に当接させて当接させて下方に擦動させ、最終的には、当該取り付け部５０３の先端部に設けられた第１の嵌合部６０１が当該係止片取付装置２０の第１の側部壁面部５０１に設けられている第１の係合部５０２と嵌合する事によって確実に当該アタッチメント５００を当該係止片取付装置２０に取り付ける事が可能となる。
【００８０】
一方、当該アタッチメント５００を当該係止片取付装置２０から取り外す為には、先ず、オペレータが当該取り付け部５０３の下方部に設けられている持ち上げ手段６０４の当該取り付け部５０３と当該係止片取付装置２０の第１の側部壁面部５０１が形成する表面との間の間隙部に指等を挿入して持ち上げる操作を行うことによって、当該第１の嵌合部６０１が当該第１の係合部５０２から離反され、その両者の係合が解除された後、当該取り付け部５０３を上方に時計方向に旋回させることによって、当該取り付け部５０３が当該係止片取付装置２０の側部壁面部から解放されるので、当該アタッチメント２００が当該係止片取付装置２０から取り外される。
【００８１】
次に、本発明に於ける当該アタッチメント７００の更に別の具体例の構成を説明する。
即ち、本具体例に係る当該アタッチメント７００は、図５或は図１１若しくは図１２に示す様な、特に図７若しくは図８に示す係止片からなる係止片シート６００を使用する場合に適した当該係止片取付装置２０に取り付けて使用するアタッチメント７００に関するものである。
【００８２】
即ち、本具体例にかかるアタッチメント７００は、図２０に示す様に、基本的には、挿通部２と、保持部３とが、フィラメント部４の両端部に設けられている係止片１の、当該挿通部２を中空針２１に挿入して、所定の押し出し手段を介して当該挿通部１を当該中空針２１から押し出すことによって当該挿通部２を所定の商品１００に係止せしめラベル類５を当該保持部３により当該所定の商品１００に貼着保持させる様に構成されている係止片１が複数個相互に並列的に配列され、少なくとも当該挿通部２若しくはその近傍部が、接続バー部２４によって固定されて、当該並列状態が維持されている係止片シート７０１を使用するための係止片取付装置２０に使用されるアタッチメント７００であって、当該アタッチメント７００は、当該係止片取付装置２０の上面５０４上に当接して搭載され、係止片制御板部７１０と当該係止片制御板部７１０と一体的に形成されており、当該係止片取付装置２０の一方の側部壁面５０１に設けられた第１の係合部７０３と着脱自在に係合する第１の嵌合部７０４を有する第１の支持部７０２と、当該係止片取付装置の他方の側部壁面５２９に設けられた第２の係合部７０５と着脱自在に係合する第２の嵌合部７０６を有する第２の支持部７０７とが一体的に形成されており、且つ当該係止片制御板部の７１０一部に、当該係止片シート７０１の当該接続バー部２４の配置軌道を制御する接続バー部制御手段５０７が設けられている事を特徴とするアタッチメント７００である。
【００８３】
更に、本具体例に於いては、当該係止片制御板部７１０の後端部７１１には、当該係止片制御板部７１０の当該係止片取付装置２０への着脱を補助する着脱補助部７１２が設けられている事が望ましい。
【００８４】
当該着脱補助部７１２は、その一部にバネ効果を発揮する可動部７１５とその自由端部に設けられ、当該係止片取付装置２０の上面部５０４に設けられている適宜の凹嵌部７１６に嵌合する第３の係合部７１３と当該着脱補助部７１２を操作する為の操作突起部７１４が設けられている事も好ましい。
【００８５】
即ち、本具体例における当該着脱補助部７１２は、当該係止片制御板部７１０の後端部７１１の端縁部とスリット部７１７を介して一体的に成形されたものである事が好ましく、当該スリット部７１７の先端部が当該係止片制御板部７１０の後端部７１１の表面から離反する方向にバイアスが付与される様に構成されている事が望ましい。
【００８６】
係る構成によって、当該着脱補助部７１２の先端部に設けられている第３の係合部７１３は、当該係止片取付装置２０の上表面５０４の適宜の位置に設けられている第３の嵌合部である適宜の凹嵌部７１６の内部に挿入されて当該係止片取付装置２０の上表面５０４に固着される事になる。
【００８７】
次に、本具体例における当該係止片制御板部７１０の構成について詳細に説明する。
即ち、本具体例に係る当該アタッチメント７００は、当該係止片取付装置２０の側壁面部５０１の表面に設けた適宜の形状からなる第１の係合部７０３及び第２の係合部７０５を介して、当該係止片取付装置２０に着脱自在に取り付けられる第１の支持部７０２及び第２の支持部７０７有するものであり、且つ、当該係止片取付装置２０の側面５０１から当該係止片取付装置２０の上部表面５０４を超えて上方に突き出して延展され壁状に形成されている当該取り付け部と一体的に形成された係止片制御板部７１０を有しているものである。
【００８８】
当該アタッチメント７００を構成している当該係止片制御板部７１０は、当該係止片シート７０１の一部である当該接続バー部２４と係合して当該接続バー部２４の配置軌道７４０を一定の形状に固定する機能を有する接続バー部制御手段５０７を有しているものである。
【００８９】
当該接続バー部制御手段５０７は、例えば、当該係止片制御板部７１０の比較的上部に設けられていることが望ましく、例えば，図２０に示す様に、当該係止片制御板部７１０の基板５１１の端縁部５１２の当該端縁部５１２に添って設けられた所定の高さを有する接続バー部の配置軌道形成用案内壁部５０８（第１の案内壁部）と当該案内壁部５０８の自由端部５１３の一部に設けられた、当該基板５１１の面に対して略並行状に設けられている接続バー部軌道保持板５０９−１及び５０９−２とで構成されていることが望ましい。
【００９０】
当該案内壁部５０８の高さは、特に限定されないが、例えば、当該係止片シート７０１に於ける当該接続バー部２４と当該挿通部２又は１３とを接続している接続部１１の長さを考慮して設計する事が可能である。
【００９１】
更に、当該案内壁部５０８の内側には、当該接続バー部２４の軌道を所定の形状に保持するための補助案内壁部（第２の案内壁部）５１０が設けられている。
更に、本具体例に於いては、当該案内壁部５０８と当該接続バー部軌道保持板５０９−１又は５０９−２との間に、当該挿入部２の移動用軌道制御部７３０が設けられているものである。
【００９２】
かかる挿入部２の移動用軌道制御部７３０によって、当該係止片シート７０１の移動軌道が正確に制御されると共に、当該係止片シート７０１の移動を円滑にする事が可能となる。
【００９３】
又、本具体例における当該係止片制御板部７１０の基板部５１１の適宜の部位にデザインを兼ねた、肉逃げ部並びに軽量化を目的とした孔部７３１、７３２、７３３等が設けられている事も望ましい。
尚、図２０に於ける７３４は適宜のデザイン部分を示す。
【００９４】
つまり、本発明に係る当該係止片制御板部７１０に於いては、上記構成を採用しているので、当該係止片シート７０１を当該係止片取付装置２０に搭載する際に、当該係止片シート７０１を構成する当該接続バー部２４の一部を当該第１と第２の案内壁部５０８，５１０との間に形成された案内溝部５４０に沿って配置される事になり、その配置形態はその状態で固定されるので、操作中に当該係止片シート７０１が揺動したり、抜け落ちる心配はなくなる。
【００９５】
本発明に於ける当該アタッチメント７００によって形成される当該係止片シート７０１を構成する当該接続バー部２４が形成する配置軌道７４０は、当該係止片取付装置２０の上部表面５０４に対する法線Ｐとのなす角度αが、５度乃至４５度の範囲となる様に設定される事が望ましい。その為に、一例として、当該係止片制御板部７１０に於ける当該係止片取付装置２０の先端部に近い端縁部の形状を当該所定の角度αが得られる様に後方に向けて湾曲状に形成することが可能である。
【００９６】
本発明に係る当該アタッチメント７００は、上記した様に係止片制御板部７１０と取り付け部５０３とが一体的に形成されており、プラスチック、金属或いはその複合材料等から構成されるものである。
【００９７】
当該アタッチメント７００に於ける当該第１及び第２の支持部７０２及び７０７の少なくとも一部には、当該係止片取付装置２０の側部壁面部５０１及び５２９の一部に設けられている第１の係合部７０３及び第２の係合部７０５の何れかと固定的に嵌合し、且つ容易に当該嵌合状態を解消しえるような構造を有する様に構成されている。
【００９８】
本発明に於ける当該第１の係合部７０３及び第２の係合部７０５は、当該係止片取付装置２０の側部壁面部５０１及び５２９の適宜の部位に一体的に設けられた適宜の高さ或いは深さを有する突起状部或いは凹陥状部で構成されるものであることが望ましく、その平面形状は、矩形、多角形、円形、楕円形等如何なる形状であっても良い。
【００９９】
一方、当該第１若しくは第２の係合部７０３，７０５と着脱自在に嵌合し得る当該第１及び第２の支持部７０２及び７０７に設けられている当該第１の嵌合部７０４と当該第２の嵌合部７０６は、何れも当該第１若しくは第２の係合部７０３，７０５の平面形状と実質的に同一の平面形状を有する事が望ましい。
【０１００】
又、本具体例においては、当該アタッチメント７００の当該係止片制御板部７１０は、前記した様に、第１の支持部７０２と第２の支持部７０７及び着脱補助部７１２を介して係止片取付装置２０の側面５０１，５２９とその上面部５０４に接合固定されるものであり、当該係止片制御板部７１０の下端部には、当該係止片取付装置２０の上面部５０４の緩い湾曲形状に一致した形状を有する補助支持板５３２が設けられている事が望ましい。
【０１０１】
更に、本具体例に於ける当該係止片制御板部７１０の当該補助支持板５３２の一方の側縁部、例えば、当該係止片制御板部７１０の基板部５１１が接続されている側縁部に、当該基板部５１１を延長して下方に垂下している支持板部７２０が適当な垂下幅を有して形成されていることも望ましい。
【０１０２】
かかる支持板部７２０を設ける事によって、当該係止片制御板部７１０がより安定的に当該係止片取付装置２０の上面部５０４に接合固定されることになる。
当該補助支持板５３２は、当該係止片取付装置２０の上面部５０４と着脱自在に密着接合しうる様に構成されているものである事も好ましい態様である。
【０１０３】
本具体例に於いては、当該アタッチメント７００を当該係止片取付装置２０に取り付けるには、例えば、当該アタッチメント７００の第１の支持部７０２の内側に設けられている第１の嵌合部を形成する突起部７０４を先ず、当該係止片取付装置２０の先端部に設けられている第１の係合部を構成する孔部７０３に挿入して両者を嵌合せしめた後、当該アタッチメント７００の本体を図２２に示す様に反時計方向に旋回させることによって、当該第２の支持部７０７を当該係止片取付装置２０の第２の側部壁面部５２９に当接させて下方に擦動させると共に、当該第２の支持部７０７に設けられた当該第２の嵌合部を構成する突起部７０６を当該係止片取付装置２０の第２の側部壁面部５２９の一部に設けられた第２の係合部を構成する孔部７０５に嵌合させると同時に、当該アタッチメント７００の基板部５１１の後端部７１１に設けた弾性を有する先端部に形成された第４の嵌合部７１３を当該係止片取付装置２０の上面部５０４の後端部に設けられた第４の係合部７１６に挿入させて両者を嵌合固定する事によって、当該アタッチメント７００の当該係止片取付装置２０への取り付け操作が完了する。
【０１０４】
次に、当該アタッチメント７００を当該係止片取付装置２０から取り外す為には、先ず、オペレータが当該着脱補助部７１２に設けられた当該操作突起部７１４を押圧して、当該第４の嵌合部７１３と当該第４の係合部７１６との係合を解除して、当該係止片制御板部７１０全体を上方に持ち上げ、取り付け操作時の当該係止片制御板部７１０の旋回方向と反対の方向に旋回させることによって、当該第２の支持部７０７と当該係止片取付装置２０の第２の側部壁面部５２９との係合も解放され、最後に、当該第１の支持部７０２と当該係止片取付装置２０の第１の係合部７０３との嵌合を解除する事によって、取り外す事が可能となる。
【０１０５】
更に、本具体例に於ける上記した当該第２の支持部５２８は、当該補助支持板５３２の自由端の一部に接合されている事が好ましい。
本発明に於ける更に別の態様としては、上記した本発明に係るアタッチメントが着脱自在に取り付けられている係止片取付装置２０である。
【０１０６】
本発明に於いては、先ずオペレータが当該係止片シート６００を手でストック部署から取り上げ、当該係止片シート６００の接続バー部２４の一方を当該係止片取付装置２０の接続バー部挿入部４０又は４１に挿入した後、当該接続バー部２４を当該係止片制御板部７１０の上記した案内溝部５４０内に挿入して操作を開始する。
【０１０７】
本発明に於いて、図１２に示す様な係止片シート６００とそれに適合した係止片取付装置２０を使用する場合の本発明のアタッチメント７００の構造の具体例としては、図５に示した様な構造となり、又、図１３に示す様な係止片シート６００を図１４に示す様な係止片取付装置２０を使用して当該係止片を打ち出しする場合には、図示されてはいないが、当該アタッチメント７００は、挿通部１３側に近接した当該係止片取付装置２０の一側壁面に取り付ける場合であってもよく、又当該ソケット部１５側に近接した当該係止片取付装置２０の一側壁面に取り付けることでも良い。
【０１０８】
然しながら、図１３に示す様な係止片シート６００を図１６に示す様な係止片取付装置２０を使用して当該係止片を打ち出しする場合には、当該アタッチメント７００は、当該ソケット部１５側に近接した当該係止片取付装置２０の一側壁面に取り付けることが必要である。
【０１０９】
更に、本発明においては、当該アタッチメント７００を当該係止片取付装置２０の販売する際に付属品として当該係止片取付装置２０のセットとして販売する様にしてもよく、或いは、当該アタッチメント７００は、当該係止片取付装置２０のオプション部品として当該係止片取付装置本体の販売とは別個に販売されるものであっても良い。
【図面の簡単な説明】
【０１１０】
【図１】図１（Ａ）は、その表側の正面図であり、図１（Ｂ）はその斜視図である。
【図２】図２は、本発明に係るアタッチメントの一具体例の構成を示す図であり、図２（Ａ）は、その裏面側の正面図であり、図２（Ｂ）はその斜視図である
【図３】図３は、本発明に於いて使用される係合部及び係合部受け座の構成例と両者の係合状態を説明する図である。
【図４】図４は、本発明に係る当該アタッチメントを係止片取付装置に取り付けた状態の一例を示す後斜視図である。
【図５】図５は、本発明に係る当該アタッチメントを別の構成を有する当該係止片取付装置に取り付けた状態の他の具体例を示す図である。
【図６】図６は、本発明に係る当該アタッチメントの右側面図の構成の一例を示す図である。
【図７】図７は、本発明に係る係止片の一具体例の構成を示す図である。
【図８】図８は、図７の係止片を使用した具体例を示す図である。
【図９】図９は、本発明に係る係止片の他の具体例の構成を示す図である。
【図１０】図１０は、図９の係止片を使用した具体例示す図である。
【図１１】図１１は、本発明に於いて使用される係止片シートを係止片取付装置に搭載させた状態に於ける使用状態の一例を説明する図である。
【図１２】図１２は、図１１の係止片取付装置に係止片シートを搭載する場合の具体例を示す図である。
【図１３】図１３は、本発明に於いて使用されるに於ける係止片シートの構成例の一具体例を示す図である。
【図１４】図１４は、本発明に係る係止片取付装置の他の一具体例の構成を示す図である。
【図１５】図１５は、本発明に係る図１４に示す係止片取付装置の平面図である。
【図１６】図１６は、本発明に係る係止片取付装置の他の具体例の構成を示す斜視図である。
【図１７】図１７は、本発明に係るアタッチメントの別の具体例の構成を示す側面図である。
【図１８】図１８は、図１７に示されるアタッチメントを取り付ける為の係止片取付装置の構成例を示す側面図である。
【図１９】図１９は、図１７に示すアタッチメントの別の具体例に於ける取り付け部の構成の例を示す断面図である。
【図２０】図２０は、本発明に係るアタッチメントの更に別の具体例の構成を示す右側面図である。
【図２１】図２１は、図２０に示すアタッチメントの左側面図である。
【図２２】図２２は、図２０に示されるアタッチメントを取り付ける係止片取付装置の構成例を示す側面図であって、（Ａ）はその左側面図であり、（Ｂ）はその右側面図である。
【図２３】図２３は、本発明に於ける更に別の具体例に係るアタッチメントを係止片取付装置に取り付けた状態を示す図である。
【図２４】図２４は、本発明に係る更に別の具体例に係るアタッチメントの一部の構成の例を示す断面図であり、（Ａ）は、補助支持板の断面図で、（Ｂ）は接続バー部制御手段の断面図である。
【図２５】図２５は、本発明に係る更に別の具体例に係るアタッチメントの斜視図である。
【図２６】図２６は、本発明に係る更に別の具体例に係るアタッチメントの正面図及び背面図である。
【図２７】図２７は、本発明に係る更に別の具体例に係るアタッチメントの使用例を説明する側面図である。
【符号の説明】
【０１１１】
１、１０  係止片
２  挿通頭部
３  保持部
４  フィラメント部
５  ４００  ラベル類
１１、１１’  接続部
１２  フィラメント部
１３  挿通頭部
１４  挿通穴
１５  ソケット部
１６  係合部
１７  １７’  ブレード部
２０  係止片取付装置
２２  中空針
２２  レバー
２３  接続部
２４、２４’  接続バー部
４０  ４１  縦溝、挿入部
４２  押し出しピン
４３  湾曲状案内管
４４  湾曲状案内管の先端部
９３  押し出し手段  ラック
１００、２００  商品
３００  商品の一部  把手
４１０  孔部
５０１  側部壁面
５０２  係合部、第１の係合部
５０３  取り付け部
５０４  係止片取付装置の上部表面
５２５  第１の支持部
５２８  第２の支持部
５３０  第２の係合部
５３１  第２嵌合部
５０６  接続バー部の配置軌道
５０７  接続バー部制御手段
５０８  案内壁部（第１の案内壁部）
５０９  接続バー部軌道保持板
５１０  補助案内壁部（第２の案内壁部）
５１１  基板
５１２  端縁部
５１３  自由端部
５１４  係合部受け座
５１５  ５１６  係合部の外周縁部
５１７  ５１８  内縁部
５２０  第１のスリット部
５２１  第２のスリット部
５２２  隙間部
５２３  第１の取り付け部
５２４  第２の取り付け部
５２７  側部壁面部
５２６  内側側部壁面部
５２８  第２の支持部
５３０  凹陥部
５３１  突起部
５３２  補助支持板
５３３  境界部
５３４  突起部若しくは凹陥部
５３５  開口部或いは突起部
５３６  第３のスリット部
５３７  板状突起部
５４２  孔部
６００  係止片シート
６０１  第１嵌合部
６０４  持ち上げ部
６０５  第３の係合部
６０６  第３嵌合部
７００  アタッチメント
７１０  係止片制御板部
７１３  第４の嵌合部
７１６  第４の係合部
【図１】
2006160367.tif 000003
【図２】
2006160367.tif 000004
【図３】
2006160367.tif 000005
【図４】
2006160367.tif 000006
【図５】
2006160367.tif 000007
【図６】
2006160367.tif 000008
【図７】
2006160367.tif 000009
【図８】
2006160367.tif 000010
【図９】
2006160367.tif 000011
【図１０】
2006160367.tif 000012
【図１１】
2006160367.tif 000013
【図１２】
2006160367.tif 000014
【図１３】
2006160367.tif 000015
【図１４】
2006160367.tif 000016
【図１５】
2006160367.tif 000017
【図１６】
2006160367.tif 000018
【図１７】
2006160367.tif 000019
【図１８】
2006160367.tif 000020
【図１９】
2006160367.tif 000021
【図２０】
2006160367.tif 000022
【図２１】
2006160367.tif 000023
【図２２】
2006160367.tif 000024
【図２３】
2006160367.tif 000025
【図２４】
2006160367.tif 000026
【図２５】
2006160367.tif 000027
【図２６】
2006160367.tif 000028
【図２７】
2006160367.tif 000029